【手続補正書】
【提出日】平成24年6月15日(2012.6.15)
【手続補正１】
【補正対象書類名】明細書
【補正対象項目名】００４１
【補正方法】変更
【補正の内容】
【００４１】
図１６においてカラー液晶プロジェクタ１００は、Ｒ、Ｇ、Ｂの３枚のパネルを有する。更にＲ、Ｇ、Ｂからの各色光を色合成手段としてのプリズム２００を有する。そして１つの光路に合成し、前述した光学系より成る投射レンズ３００を用いてスクリーン４００に投影している。このように数値実施例１〜７の光学系をデジタルカメラやプロジェクタ等に適用することにより、高い光学性能を有する投射装置（光学機器）を実現することができる。
【手続補正２】
【補正対象書類名】明細書
【補正対象項目名】００４４
【補正方法】変更
【補正の内容】
【００４４】
数値実施例  １
単位 mm
面データ
面番号       r        d      nd         νd       有効径   θgF
1         35.575    2.20   1.77071    23.0       39.95   0.668
2         20.522    7.86                         33.86
3*       102.662    3.15   1.48749    70.2       33.49
4*        30.425   14.95                         31.24
5        -25.534    2.00   1.61800    63.3       29.75
6        -88.289    0.48                         31.89
7        -70.345    3.75   1.84660    23.5       31.94   0.596
8        -51.592  (可変)                         33.44
9        467.918    4.07   1.83400    37.2       35.46
10        -68.204  (可変)                         35.70
11         59.634    3.86   1.74400    44.8       33.33
12       -746.746   10.22                         33.03
13(絞り)    ∞     (可変)                         28.41
14        -39.341    1.40   1.78472    25.7       24.07
15       -152.494  (可変)                         24.69
16       -540.450    1.50   1.83400    37.2       26.58
17         37.295    4.91   1.48749    70.2       27.51
18       -259.529    0.15                         28.50
19         55.855    9.20   1.49700    81.5       30.66
20        -39.798    0.15                         32.05
21*      -110.007    3.30   1.58913    61.1       32.33
22*       -70.064  (可変)                         33.04
23         63.877    3.96   1.48749    70.2       33.57
24       -335.234   10.38                         33.43
25          ∞      21.00   1.80518    25.4       50.00
26          ∞       0.00                         50.00
27          ∞      32.76   1.51633    64.1       50.00
28          ∞       0.67                         50.00
像面        ∞   
非球面データ
第3面
K =-8.65288e-001  A 4= 1.22436e-005  A 6= 7.39533e-010  A 8=-8.43065e-011  A10=
3.71664e-013  A12=-4.24726e-016  
第4面
K =-4.32910e+000  A 4= 1.95460e-005  A 6=-2.22771e-008  A 8=-1.92512e-010  A10=
9.25357e-013  A12=-1.52798e-015  
第21面
K =-6.58661e+001  A 4=-1.31419e-005  A 6= 5.37564e-009  A 8= 5.26551e-011  A10=
-1.95565e-013  A12= 3.27603e-016  
第22面
K =-7.91329e+000  A 4=-6.86802e-006  A 6=-6.67048e-009  A 8= 8.19062e-011  A10=
-2.32778e-013  A12= 3.31672e-016  
各種データ
ズーム比      1.66 
広角     中間     望遠
焦点距離      21.70    29.26    35.93  
Fナンバー      1.85     2.21     2.41  
画角          29.35    22.64    18.75   
像高          12.20    12.20    12.20  
レンズ全長   209.67   209.67   209.67  
BF             0.67     0.67     0.67  
d 8            5.18     1.58     1.44  
d10           36.57    18.51     0.90  
d13           19.11    24.81    26.51  
d15            6.24     3.43     4.37  
d22            0.65    19.41    34.52  
入射瞳位置    31.25    28.63    25.40  
射出瞳位置  -366.18  -1704.97   686.79  
前側主点位置  51.67    57.38    63.22  
後側主点位置 -21.03   -28.58   -35.26  
ズームレンズ群データ
群  始面    焦点距離  レンズ構成長  前側主点位置  後側主点位置
1    1     -22.83        34.39        10.62        -17.79
2    9      71.22         4.07         1.94         -0.28
3   11      74.03        14.08         0.16        -12.27
4   14     -67.38         1.40        -0.27         -1.06
5   16      61.35        19.21        13.08          1.17
6   23     110.08        68.10         0.43        -45.79
単レンズデータ
レンズ  始面  焦点距離
1       1    -66.63
2       3    -89.71
3       5    -58.65
4       7    207.45
5       9     71.22
6      11     74.03
7      14    -67.38
8      16    -41.55
9      17     67.05
10      19     48.18
11      21    316.68
12      23    110.08
13      25      0.00
14      27      0.00
【手続補正３】
【補正対象書類名】明細書
【補正対象項目名】００４５
【補正方法】変更
【補正の内容】
【００４５】
数値実施例  ２
単位 mm
面データ
面番号       r        d      nd         νd       有効径   θgF
1         55.694    2.80   1.77071    23.0       53.87   0.720
2         28.950    6.41                         44.66
3         58.017    2.30   1.59240    68.3       44.40
4         28.885    6.26                         39.49
5        106.104    4.76   1.84666    23.8       39.38
6       -129.193    3.50                         38.84
7         98.996    2.87   1.84660    23.5       31.95   0.596
8       -537.251    1.70   1.49700    81.5       30.98
9         22.157   10.32                         25.62
10         28.989    7.18   1.80400    46.6       27.28
11        -54.742    0.15                         26.85
12        319.288    1.48   1.72825    28.5       25.02
13         27.425    5.10                         23.07
14(絞り)    ∞       5.76                         22.45
15        -15.906    1.50   1.84666    23.8       22.15
16       -187.927    4.36   1.79952    42.2       26.02
17*       -24.117    0.15                         27.20
18       -194.087    9.53   1.48749    70.2       29.33
19        -22.225    0.15                         31.78
20        -92.792    5.62   1.62299    58.2       34.78
21        -29.828                                 35.53
像面        ∞   
非球面データ
第17面
K = 0.00000e+000  A 4= 2.06918e-005  A 6= 4.34696e-008  A 8= 1.06970e-010  A10=
-2.35887e-013  A12=-6.06423e-017  
各種データ
ズーム比      1.00 
焦点距離      24.70  
Fナンバー      1.45  
画角          41.17  
像高          21.60  
レンズ全長   120.00  
BF            38.10  
d21           38.10  
入射瞳位置    30.77  
射出瞳位置   -55.37  
前側主点位置  48.95  
後側主点位置  13.40  
ズームレンズ群データ
群  始面    焦点距離  レンズ構成長  前側主点位置  後側主点位置
1    1      24.70        81.90        48.95         13.40
単レンズデータ
レンズ  始面  焦点距離
1       1    -81.96
2       3   -100.04
3       5     69.45
4       7     98.94
5       8    -42.77
6      10     24.51
7      12    -41.29
8      15    -20.61
9      16     34.20
10      18     50.57
11      20     68.22
【手続補正４】
【補正対象書類名】明細書
【補正対象項目名】００４６
【補正方法】変更
【補正の内容】
【００４６】
数値実施例  ３
単位 mm
面データ
面番号       r        d      nd         νd       有効径   θgF
1         45.475    2.20   1.69680    55.5       44.85
2         25.911    5.55                         38.68
3         56.069    1.75   1.69680    55.5       38.48
4         29.986    5.91                         35.48
5        290.699    1.80   1.65844    50.9       35.32
6         52.903    3.36                         34.46
7*      1470.281    3.60   1.52996    55.8       34.62
8*       429.394  (可変)                         34.56
9        296.060    5.90   1.54814    45.8       36.11
10        -45.445    0.15                         36.15
11         67.812    3.55   1.67270    32.1       33.32
12       -527.088    1.95                         32.72
13        -67.641    2.20   1.65844    50.9       32.52
14       -646.266  (可変)                         31.62
15         85.211    2.61   1.56384    60.7       22.58
16        -68.338  (可変)                         22.61
17         30.967    1.00   1.72342    38.0       21.01
18         20.990  (可変)                         20.26
19        -19.301    1.35   1.85945    25.0       20.93   0.606
20         93.629    7.80   1.49700    81.5       24.79
21        -23.365    0.15                         27.53
22        142.941    8.62   1.48749    70.2       33.46
23        -29.507  (可変)                         34.63
24         94.707    3.97   1.77071    23.0       36.54   0.668
25       -176.035   10.51                         36.46
26          ∞      30.30   1.51633    64.1       50.00
27          ∞       0.00                         50.00
28          ∞      21.00   1.69680    55.5       51.06
29          ∞       0.25                         51.06
像面        ∞   
非球面データ
第7面
K = 4.92437e+003  A 4= 1.91390e-005  A 6=-4.28805e-008  A 8= 7.78323e-011  A10=
-1.27206e-013  
第8面
K = 0.00000e+000  A 4= 1.26356e-005  A 6=-3.92255e-008  A 8= 4.55361e-011  A10=
-4.85175e-014  A12=-6.60374e-017  
各種データ
ズーム比      1.56 
広角     中間     望遠
焦点距離      18.39    22.02    28.74  
Fナンバー      1.85     2.14     2.60  
画角          33.56    28.99    23.00    
像高          12.20    12.20    12.20  
レンズ全長   202.49   202.49   202.49  
BF             0.25     0.25     0.25  
d 8           31.19    22.28    12.34  
d14           34.95    31.31    23.24  
d16            0.70     6.79    18.32  
d18            9.51    10.36     8.29  
d23            0.65     6.26    14.81  
入射瞳位置    33.47    32.53    30.28  
射出瞳位置  -167.34  -789.72   320.76  
前側主点位置  49.84    53.94    61.60  
後側主点位置 -18.14   -21.77   -28.49  
ズームレンズ群データ
群  始面    焦点距離  レンズ構成長  前側主点位置  後側主点位置
1    1     -27.91        24.17         8.96        -10.87
2    9      58.25        13.76         1.60         -7.57
3   15      67.44         2.61         0.93         -0.75
4   17     -93.51         1.00         1.88          1.27
5   19     168.69        17.91        55.22         65.70
6   24      79.70        65.78         0.79        -44.29
単レンズデータ
レンズ  始面  焦点距離
1       1    -90.29
2       3    -94.77
3       5    -98.11
4       7   -1141.49
5       9     71.98
6      11     88.95
7      13   -114.43
8      15     67.44
9      17    -93.51
10      19    -18.36
11      20     38.38
12      22     50.85
13      24     79.70
14      26      0.00
15      28      0.00
【手続補正５】
【補正対象書類名】明細書
【補正対象項目名】００４８
【補正方法】変更
【補正の内容】
【００４８】
数値実施例  ５ 
単位 mm
面データ
面番号       r        d      nd         νd       有効径   θgF
1         98.467    2.80   1.83481    42.7       56.28
2         36.540    6.05                         47.63
3         73.179    2.30   1.74100    52.6       46.83
4         38.849    7.74                         43.22
5       1019.549    5.62   1.67790    50.7       42.78
6        -71.829    3.59                         42.34
7         45.089    5.15   1.84666    23.8       33.57
8       -484.645    1.70   1.49700    81.5       32.19
9         20.567    7.00                         25.19
10          ∞       5.13                         22.95
11         27.168    6.21   1.75500    52.3       26.05
12        -58.056    0.15                         25.67
13      -7849.793    1.61   1.84666    23.8       24.20
14         36.282    5.10                         22.60
15(絞り)    ∞       5.26                         21.58
16        -15.475    1.50   1.84666    23.8       21.25   0.603
17         84.296    3.77   1.75500    52.3       25.61
18*       -47.177    0.15                         26.79
19       -463.672    7.53   1.65160    58.5       28.12
20        -20.922    0.15                         29.34
21       -145.877    3.85   1.74500    26.0       30.24   0.668
22        -32.355                                 30.71
像面        ∞   
非球面データ
第18面
K = 0.00000e+000  A 4= 2.60951e-005  A 6= 1.64693e-008  A 8=-1.72517e-010  A10=
3.58053e-013  A12=-4.95966e-016  
各種データ
ズーム比      1.00 
焦点距離      24.60  
Fナンバー      1.50  
画角          41.33  
像高          21.64  
レンズ全長   120.30  
BF            37.96  
d22           37.96  
入射瞳位置    31.53  
射出瞳位置   -40.38  
前側主点位置  48.40  
後側主点位置  13.36  
ズームレンズ群データ
群  始面    焦点距離  レンズ構成長  前側主点位置  後側主点位置
1    1      24.60        82.35        48.40         13.36
単レンズデータ
レンズ  始面  焦点距離
1       1    -71.06
2       3   -115.03
3       5     99.19
4       7     48.94
5       8    -39.65
6      11     25.31
7      13    -42.65
8      16    -15.34
9      17     40.57
10      19     33.40
11      21     55.01
【手続補正６】
【補正対象書類名】明細書
【補正対象項目名】００５０
【補正方法】変更
【補正の内容】
【００５０】
数値実施例  ７
単位 mm
面データ
面番号       r        d      nd         νd       有効径   θgF
1         39.210    2.20   1.69680    55.5       44.29
2         23.917    5.42                         37.96
3         44.241    1.75   1.69680    55.5       37.76
4         26.817    7.28                         34.64
5       -482.036    1.80   1.65844    50.9       34.46
6         57.214    1.00                         33.81
7*        71.177    3.60   1.52996    55.8       34.08
8*        66.693  (可変)                         33.57
9        295.094    5.93   1.54814    45.8       35.81
10        -45.467    0.53                         35.88
11         64.632    3.88   1.67270    32.1       33.33
12       -304.211    1.82                         32.90
13        -67.502    2.20   1.65844    50.9       32.72
14      -2511.881  (可変)                         31.99
15         88.829    2.58   1.56384    60.7       23.10
16        -74.024  (可変)                         23.42
17         30.089    1.00   2.10500    17.2       21.46   0.608
18         22.405  (可変)                         20.71
19        -19.818    1.35   1.80000    29.9       21.39
20         92.804    7.60   1.49700    81.5       25.09
21        -23.851    0.15                         27.51
22        117.444    7.90   1.48749    70.2       32.50
23        -31.516  (可変)                         33.47
24         89.230    3.49   1.77071    23.0       35.48   0.720
25       -290.330   10.53                         35.38
26          ∞      30.30   1.51633    64.1       50.00
27          ∞       0.00                         50.00
28          ∞      21.00   1.69680    55.5       51.06
29          ∞       0.24                         51.06
像面        ∞   
非球面データ
第7面
K = 0.00000e+000  A 4= 1.95177e-005  A 6=-4.08280e-008  A 8= 7.94835e-011  A10=
-1.06575e-013  
第8面
K = 0.00000e+000  A 4= 1.14504e-005  A 6=-4.08356e-008  A 8= 5.43211e-011  A10=
-2.98724e-014  A12=-9.67414e-017  
各種データ
ズーム比      1.56 
広角     中間     望遠
焦点距離      18.39    22.31    28.67  
Fナンバー      1.86     2.18     2.62  
画角          33.57    28.67    23.05  
像高          12.20    12.20    12.20  
レンズ全長   202.57   202.56   202.56  
BF             0.25     0.24     0.24  
d 8           34.30    25.09    16.16  
d14           34.18    29.51    20.80  
d16            0.70     7.66    18.36  
d18            9.19    10.36     8.27  
d23            0.65     6.39    15.41  
入射瞳位置    33.79    32.69    30.43  
射出瞳位置  -134.90  -428.73   684.63  
前側主点位置  49.67    53.84    60.30  
後側主点位置 -18.13   -22.07   -28.43  
ズームレンズ群データ
群  始面    焦点距離  レンズ構成長  前側主点位置  後側主点位置
1    1     -26.47        23.05        10.26         -8.17
2    9      56.30        14.36         1.65         -7.95
3   15      72.02         2.58         0.90         -0.75
4   17     -85.22         1.00         2.00          1.49
5   19     124.97        17.00        38.32         40.11
6   24      88.91        65.31         0.46        -44.40
単レンズデータ
レンズ  始面  焦点距離
1       1    -93.53
2       3   -101.92
3       5    -77.57
4       7   -2766.82
5       9     72.32
6      11     79.58
7      13   -105.39
8      15     72.02
9      17    -85.22
10      19    -20.30
11      20     39.02
12      22     51.87
13      24     88.91
14      26      0.00
15      28      0.00